(57)【要約】      （修正有）【課題】薄く強度のある新たな履物ソールを提供し、極めて柔軟である新たな靴を提供する。【解決手段】第１構成部品としてのミッドソール構成部品２に拘束されるとともに、第２構成部品である支持構成部品、ならびに複数のスタッド部材を含む第３構成部品であるトレッド構成部品が備えられるベースグループ３４とを備える履物のソールに関する。【選択図】図２
2017209500.tif 000002
【特許請求の範囲】
【請求項１】
第１構成部品またはミッドソール構成部品（２）と、前記ミッドソール構成部品（２）に拘束されるベースグループまたはアウトソール（３４）とを備え、第２構成部品または支持構成部品（３）と、複数のスタッド部材（４）を含む第３構成部品またはトレッド構成部品（４）とが設けられる履物のソールであって、前記支持構成部品（３）が少なくとも１つの布製部材または布片または帯状布（３）を備え、前記トレッド構成部品（４）が、前記少なくとも１つの布製部材（３）を通り延伸するように、前記少なくとも１つの布製部材（３）とともに、またはこの上に成形されており、これにより、前記トレッド構成部品（４）および前記スタッド部材（４ａ）が前記少なくとも１つの布製部材（３）に拘束されるとともにこれに支持される、ソール。
【請求項２】
前記トレッド構成部品（４）と前記布製部材（３）とを含む前記ベースグループ（３４）の厚さが、０．５ｍｍから１．５ｍｍの間、必要に応じて０．５ｍｍから１ｍｍの間のである、請求項１に記載のソール。
【請求項３】
前記トレッド構成部品（４）と前記布製部材（３）とを含む前記ベースグループ（３４）の厚さが、０．５ｍｍから０．８ｍｍの間である、請求項２に記載のソール。
【請求項４】
前記布製部材（３）が、前記トレッド構成部品（４）内に組み込まれている、請求項１、２または３に記載のソール。
【請求項５】
前記トレッド構成部品（４）が第１層（４ｂ）を備え、前記スタッド部材（４ａ）が前記第１層（４ｂ）の第１表面（４ｂ１）から延伸し、前記布製部材（３）が、前記第１層の前記第１表面（４ｂ１）と対向する第２表面（４ｂ２）上で拘束されており、前記第１層（４ｂ）が、前記布製部材（３）またはそのメッシュの間を通り延伸する第１ブリッジ部分を有する、請求項４に記載のソール。
【請求項６】
前記布製部材（３）が、前記トレッド構成部品（４）の第２層（４ｃ）と第３層（４ｄ）との間に組み込まれており、前記トレッド構成部品（４）が、前記第２層（４ｃ）と前記第３層（４ｄ）との間に、前記布製部材（３）を通り延伸する第２ブリッジ部分を有し、前記スタッド部材（４ａ）が、前記第３層（４ｄ）から延伸する、請求項４に記載のソール。
【請求項７】
前記少なくとも１つの布製部材（３）が、前記トレッド構成部品（４）の第４層（４ｅ）と前記スタッド部材（４ａ）との間に組み込まれており、前記トレッド構成部品（４）が、前記第４層（４ｅ）と前記スタッド部材（４ａ）との間に前記布製部材（３）を通り延伸する第３ブリッジ部分を有する、請求項４に記載のソール。
【請求項８】
前記トレッド構成部品（４）が、スチレンブタジエン、アクリロニトリルブタジエン、ポリブタジエン、ポリクロロプレン、ブロモイソブチレンイソプレン、ポリイソプレン天然ゴムからなるグループから選択される材料から製造される、先の請求項のいずれか一項に記載のソール。
【請求項９】
前記少なくとも１つの布製部材（３）がポリエステル製である、先の請求項のいずれか一項に記載のソール。
【請求項１０】
前記少なくとも１つの布製部材（３）が、ソールの前部（Ｆ）から後部（Ｒ）へ、また一側面（Ｓ１）から他方の側面（Ｓ２）へ延伸し、前記布製部材（３）が、単一の部材からなる、先の請求項のいずれか一項に記載のソール。
【請求項１１】
前記布製部材（３）が、相互に離間しておりソール（１）の異なる位置に配置される複数の部品または部分（３ａ、３ｂ）を備える、請求項１から９のいずれか一項に記載のソール。
【請求項１２】
前記スタッド部材（４ａ）が前記布製部材（３）に対して下方へ突出し、これにより前記スタッド部材（４ａ）が地面と接触し、その際に前記布製部材（３）が地面と擦れることを回避、またはいずれの場合にも制限する、先の請求項のいずれか一項に記載のソール。
【請求項１３】
前記布製部材（３）が、前記ベースグループ（３４）の縁部または周縁部分まで延伸せず、前記縁部または周縁部分が前記トレッド構成部品（４）によってのみ構成される、先の請求項のいずれか一項に記載のソール。
【請求項１４】
前記ミッドソール構成部品（２）が単一の材料、複数の材料の混合、または複数の層の組み合わせにより製造され、各層が他の層と同じまたは異なる材料から製造される、先の請求項のいずれか一項に記載のソール。
【請求項１５】
先の請求項のいずれか一項に記載のソールと、前記ソールの前記ミッドソール構成部品（２）に拘束される甲部（６）とを備える履物。
【請求項１６】
前記ソールが、前記ベースグループ（３４）と、前記ミッドソール構成部品（２）とのみからなり、前記ソールが前記甲部（６）に他の層または部材を介在せずに、拘束または直接接続されている、請求項１５に記載の履物。
【発明の詳細な説明】
【技術分野】
【０００１】
発明の属する技術分野
本発明は、履物のソール、ならびにこの種のソールを備える靴に関する。
【背景技術】
【０００２】
従来技術
公知のように、ソールは通常、靴の甲に接続するミッドソールに固定されるトレッド層を有する。
【発明の概要】
【発明が解決しようとする課題】
【０００３】
様々な構成部品および固定手段で多くの解決策が提案されてきたが、これまでに提案されたソールは全て、特に強度の高いものに関しては、厚みが大きく地面の凹凸に対して柔軟性または適応性が低かった。
【０００４】
発明の目的
本発明の１つの目的は、新たな履物ソールを提供することである。
【０００５】
本発明のもう１つの目的は、薄く強度のある新たな履物ソールを提供することである。
本発明のもう１つの目的は、地面の凹凸による変形の力が生じた場合に、これを緩衝することが可能な新たな履物ソールを提供することである。
【０００６】
本発明のもう１つの目的は、極めて柔軟である新たな靴を提供することである。
本発明の一態様に係り、請求項１に係るソールが提供される。
【０００７】
従属請求項は、本発明の好適および有利な実施形態に関する。
図面の簡単な説明
本発明のその他の特徴および長所は、図面に例示的に示されるソールおよび靴の実施形態の説明により明らかになる。
【図面の簡単な説明】
【０００８】
【図１】本発明に係るソールおよび靴の実施形態の側面図である。
【図２】図１のソールおよび靴の断面図である。
【図３】図２のソールおよび靴が地面の凹凸に接した際の図である。
【図４】本発明に係るソールおよび履物の一実施形態の図２の線Ａ−Ａに沿った断面図である。
【図５】本発明に係るソールおよび履物の一実施形態の図２の線Ａ−Ａに沿った断面図である。
【図６】本発明に係るソールおよび履物の一実施形態の図２の線Ａ−Ａに沿った断面図である。
【図７】図１の底面図である。
【図８】本発明に係るソールの別の実施形態の底面図である。
【図９】本発明に係るソールおよび靴の別の実施形態の側面図である。
【図１０】図９の底面図である。
【発明を実施するための形態】
【０００９】
発明を実施するための形態
図１から１０を参照すると、履物のソール１が示されており、これは第１構成部品またはミッドソール構成部品２と、ミッドソール構成部品２に拘束されるベースグループまたはアウトソール３４とを備え、アウトソールには好適には第２構成部品または支持部品３、ならびに複数のスタッド部材４ａを有する第３構成部品またはトレッド構成部品４が設けられている。
【００１０】
スタッドは相互に独立しているか、または連続したトレッドとなるよう相互に結合されることが可能である。
【００１１】
本発明に係るソールは、特殊用途の履物（たとえばスポーツ、仕事、整形外科による矯正用、ランニング、ウォーキング、ハイキング用等）を製造するためのものであり、そのためこれは少なくとも部分的に柔軟性を有し、剛性ではない。
【００１２】
支持部品は１つまたは複数の布製の部材または部品または帯状部３を備え、トレッド構成部品４も部分的に布製部材３を通り延伸するようトレッド構成部品４が布製部材３と共に、またはこれの上に形成され、これによりトレッド構成部品４およびスタッド部材４ａは布製部材３に拘束されるとともにこれに支持される。より詳細には、トレッド構成部品の材料シートが成形時に布製部材３の上または下に配置され、成形によってトレッド構成部品４およびトレッド構成部品の材料の布製部材内部、すなわち布製部材のメッシュの間への部分的な挿入が得られる。
【００１３】
トレッド構成部品４と布製部材３とを含むベースグループ３４の厚みは、０．５から１．５ｍｍの間であり、必要に応じて０．５から１ｍｍ、好適には０．５から０．８ｍｍである。
【００１４】
実際にトレッド構成部品用に支持および補強部材をなす布製部材の存在により、いかなる場合にも耐久性がありながらも厚みが薄いソール、あるいはアウトソールを製造することが可能である。
【００１５】
この態様に係り、布製部材とは、たとえば相互に垂直に糸を織ることによる部材を指し、こうした糸が相互に拘束される複数のメッシュを構成する。
【００１６】
さらに、完成したソールは好適にはベースグループ３４およびミッドソール構成部品２のみからなり、これらの部材は、他の層または部材を介在させることなく靴の甲に直接拘束される。
【００１７】
この目的のため、ミッドソール構成部品２は１つのみの材料、または複数の材料を混合させて、または複数の層を組み合わせて作られることが可能であり、その各層は他の層と同等のまたは異なる材料で作られることが可能である。
【００１８】
有利には、布製部材３はトレッド構成部品４内に組み込まれる。
この目的のため、トレッド構成部品４は、第１層４ｂを有することができ（図４を参照）、スタッド部材４ａが第１層４ｂの第１表面４ｂ１から延伸し、布製部材３は、第１層４ｂの第１表面４ｂ１に対向する第２表面４ｂ２上に拘束される。この場合、第１層４ｂは、布製部材３を通り延伸する、あるいはそのメッシュの間を延伸する第１ブリッジ部分を有する。
【００１９】
あるいは（図５を参照）、布製部材３は、トレッド構成部品４の第２層４ｃと第３層４ｄとの間に組み込まれ、さらにトレッド構成部品４は、第２層４ｃと第３層４ｄとの間に布製部材３を通り延伸する第２ブリッジ部分を有し、この第２ブリッジ部分は実際に第２層４ｃと第３層４ｄとを接続する。この場合、スタッド部材４ａは、使用時には第３層４ｄから下方へ延伸している。
【００２０】
別の変形例（図６を参照）によれば、布製部材３は、トレッド構成部品４の第４層４ｅとスタッド部材４ａとの間に組み込まれる、または拘束されており、トレッド構成部品４は第４層４ｅとスタッド部材４ａとの間に第３ブリッジ部分を有し、この第３ブリッジ部分は布製部材３を通り延伸し、実際に第４層４ｅとスタッド部材４ａとを接続する。この場合、スタッド部材４ａはたとえば、最初に型に入れられ、またはより好ましくは、複数の材料が適切な型の凹部に配置されて、スタッド部材４ａを得ることができる。続いて、布製部材３が同様にトレッド構成部品の材料のシートとして配置可能であり、その後、重ねられた部材は成形され、トレッド構成部品の材料の部分的な布製部材３内、すなわち布製部材３のメッシュの間への挿入が行われる。
【００２１】
あるいは、トレッド構成部品４は、トレッド構成部品４のシートまたは層を設けることなく、布製部材３上に成形されるスタッド部材４ａのみを備えることも可能である。
【００２２】
好適には、トレッド構成部品４、特にそのスタッド部材４ａは、布製部材３に対して下方へ突出し、これによりトレッド構成部品４またはそのスタッド部材４ａが地面と接触し、布製部材３が地面と擦れることを防止、またはいかなる場合にも制限して、布製部材３が損傷することを防止する。
【００２３】
トレッド構成部品４は、スチレンブタジエン（stirene butadiene）またはＳＢＲ、アクリロニトリルブタジエン（acrilonitrile butadiene）またはＮＢＲ、ポリブタジエン（polibutadiene）またはＢＲ、ポリクロロプレン（policloroprene）またはＣＲ、ブロモイソブチレンイソプレン（bromo isobutilene isoprene）またはＢＩＩＲ、天然ゴム（gomma naturale）（ポリイソプレン（poliisoprene））またはＮＲからなるグループから選択される材料から製造されることが可能である。
【００２４】
さらに、特にトレッド構成部品が複数の層、または部品４ｃ−４ｄ、４ｅ−４ａを備え、これらが相互に拘束されるが布製部材３に対して対向する側に配置される場合には、トレッド構成部品４が２つ以上の材料から製造されることも可能である。この目的のため、層４ｃおよび４ｄは２つの異なる材料からなることができ、図６の変形例においては部分４ｅおよび４ａに関しても同様である。
【００２５】
いずれの場合にも、トレッド構成部品用には、ショア硬さが５０から９０の間であり、かつ以下の特徴を有する複数の材料が使用可能である。
・比重：１．０５〜１．２５ｇ／ｃｍ３
・引張強度：８５〜１７０ｋｇ／ｃｍ２
・伸び率：３００％〜５５０％
・ＤＩＮ摩耗：４０〜２６０ｍｍ３／減量
・ＮＢＳ摩耗：９０％〜４１０％
・耐引裂性Ｔ：５〜２３ｋｇ／ｃｍ
・耐引裂性Ｃ：３５〜５５ｋｇ／ｃｍ
布製部材３は、たとえばポリエステル（poliestere）、ナイロン（nylon）、レーヨン（rayon）、アラミド繊維（fibre aramidiche）、熱可塑性繊維（fibre termoplastiche）、金属繊維（fibre metalliche）またはこれらの混合によって製造されることが可能である。
【００２６】
布製部材３の延伸に関しては、ソール１の前方Ｆから後方Ｒに向かって、およびソール１の一方の側面Ｓ１から他方の側面Ｓ２へ（図７を参照）延伸が可能であり、この場合、布製部材３は好適には１つの部品からなり、１つの素材により構成される。
【００２７】
あるいは（図８を参照）、布製部材３は、それぞれ個別の２つ、３つまたはそれ以上の部品または部分３ａ、３ｂを備え、たとえば１つはソールの前方Ｆ、もう１つは後方Ｒにというように、これらはソール１の異なる位置に配置される。
【００２８】
一変形例（図９および１０を参照）によれば、布製部材３は、それぞれ個別の２つまたはそれ以上の部品または部分３ｃ、３ｄを備え、たとえば１つはソールの前方Ｆ、もう１つは後方Ｒというように、これらはソール１の異なる位置に配置され、さらにこれらの部分３ｃ、３ｄは、ミッドソール構成部品２の側部を包囲する部分３ｃ１、３ｄ１を有する。
【００２９】
さらに、布製部材は主に一平面上にあり、この平面は使用時には実質的に水平、またはいずれの場合でもソールまたはより好ましくはアウトソールの主要延伸方向に沿って延伸する。
【００３０】
好適には、布製部材３はベースグループ３４の縁部または周辺部までは延伸せず、その場合この縁部または周縁部はトレッド構成部品４のみで構成され、布製部材３はベースグループ３４の中間または中央延伸部のみを被覆する。
【００３１】
ミッドソール構成部品２は、１つまたは複数の材料から構成されることが可能であり、必要に応じて低密度で軽量な展伸材が用いられる。
【００３２】
ミッドソール構成部品２は、発泡ゴム（gomme espanse）、発泡ポリウレタン（poliuretani espansi）、その他の発泡ポリマ（polimeri espansi）により構成されるグループから選択される材料か、またはそれらの混合により製造されることが可能である。
【００３３】
ミッドソール構成部品２は、１つまたは複数の材料からなることが可能である。熱可塑性材料（たとえばポリアミド（poliammide）、ＴＰＵ等）および／または熱硬化性材料（たとえばエポキシ樹脂（resine epossidiche）、ポリエステル樹脂（resine poliesteri）等）からなるインサートまたは補強が追加されることが可能である。さらに、ミッドソール構成部品２はガラス繊維（fibre di vetro）および／またはアラミド繊維（fibre aramidiche）および／または炭素繊維（fibre di carbonio）により補強されることが可能である。
【００３４】
さらに、ミッドソール構成部品２の全体の厚さは、３ｍｍから６０ｍｍの間であることが可能である。
【００３５】
ミッドソール構成部品２は、布製部材３とトレッド構成部品４とからなるベースグループ３４の変形を制御および低減させることを意図しており、これによりこの変形が、このベースグループ３４から甲６へ、そしてソール１へ、すなわちこの靴７を履いている使用者の足へ伝わることを回避する。
【００３６】
ミッドソール構成部品２は、ベースグループ３４の変形を可能にさせるためにも設けられており、これにより異なる地面の状態に確実に適応させる。これにより、接合面が広がり、あらゆる地面の種類に対して密着性が高まる。
【００３７】
この目的のため、ベースグループ３４は、障害物または凸凹Ｕ（図３を参照）に当たると局所的に変形するようになっており、ミッドソール構成部品２は、グループ３４が変形すると、特にグループの変形領域に近い領域で局所的な限定的変形が生じるようになっており、この変形は甲６、より詳しくはその底壁部６ａに伝達されない。底壁部６ａは平坦であり、一方の側から他方へ向かって連続的であることが可能である、すなわち中央または中間に穴または開口部がない状態である。
【００３８】
本発明に係る靴７は、上述のようなソール１と、ミッドソール構成部品２に拘束または接続される甲６とを備える。好適には、靴７は、ベースグループ３４およびミッドソール構成部品２のみにより構成されるソールを備え、これらの部材はその他の層または部材を介在させることなく、靴７の甲６に直接的に拘束される。
【００３９】
必要に応じて、甲６は、布製部材３とトレッド構成部材４とからなるグループ３４と共に、ミッドソール構成部材２を収容するための領域ＲＺの範囲を定め、これは一方の側、すなわち下側ではベースグループ３４の内側および上方の面と、他方の側、すなわち上側では甲３の側壁部６ａの内側および下方の面に接触し、さらに以下に説明するように、ミッドソール構成部品２はベースグループ３４および甲６に対して外側へ向かって突出する、特にミッドソール構成部品２の周縁部で突出する上部分２ａを有することが可能である。
【００４０】
甲６は、たとえばミッドソール構成部品２の内側および上方の面により範囲が定められるクレードル領域内に収容される部分でミッドソール構成部品２に収容および接続（接着、縫合、成形等）されることが可能である。
【００４１】
より詳細には、甲６は、ミッドソール構成部品２の内側および上側の面に対して当接して配置される底壁部６ａ、ならびに底壁部６ａの外側端部から上方へ突出する横方向の筒状壁部６ｂを備える。
【００４２】
図面に示される実施形態に係り、ベースグループ３４は実質的にＣ字またはＵ字型のプレートを備え、この中に甲６に拘束されるミッドソール構成部品２が配置および拘束される。ミッドソール構成部品２は上部分２ａを有することができ、これはベースグループ３４から上方へ突出、より詳しくは使用時にベースグループ３４から上方へ突出し、甲６、より詳しくはその底壁部６ａ用の当接および拘束面を画定する。そのため、図面で示される非限定的な実施形態に係り、甲２はベースグループ３４とは接触せず、ミッドソール構成部品２の上部分２ａによりベースグループ３４とは隔てられている。
【００４３】
本発明に係るソールおよび靴では、布部材３はトレッド構成部品４を支持し、伸長（等方性または異方性）においてソールの柔軟性に寄与し、限られた厚さにおいてソールに曲げ強度を与える。
【００４４】
さらに、本発明に係るソールは、制御された変形性および柔軟性を有し、いかなる場合にも引張強度および疲労伸び強度を確保する。
【００４５】
発明に対する修正および変形は、請求項に規定される保護範囲内において可能である。
【図１】
2017209500.tif 000003
【図２】
2017209500.tif 000004
【図３】
2017209500.tif 000005
【図４】
2017209500.tif 000006
【図５】
2017209500.tif 000007
【図６】
2017209500.tif 000008
【図７】
2017209500.tif 000009
【図８】
2017209500.tif 000010
【図９】
2017209500.tif 000011
【図１０】
2017209500.tif 000012
【外国語明細書】
2017209500000001.pdf